(57)【要約】【課題】導光板の上下両側にそれぞれ光源が配された場合において、上側に配された光源が高温となる事態を抑制する。【解決手段】ＬＥＤユニット３０と、ＬＥＤユニット３０に対して鉛直方向上側に配されると共に消費電力がＬＥＤユニット３０に比べて小さいＬＥＤユニット４０と、ＬＥＤユニット３０と対向する面からなり、ＬＥＤユニット３０から出射された光が入射する光入射面５１と、ＬＥＤユニット４０と対向する面からなり、ＬＥＤユニット４０から出射された光が入射する光入射面５２と、一方の板面からなり、光入射面５１及び光入射面５２から入射された光が出射される光出射面５３と、を有する導光板５０と、を備えることに特徴を有する。【選択図】図３
2019145445.tif 000002
【特許請求の範囲】
【請求項１】
第１光源と、
前記第１光源に対して鉛直方向上側に配されると共に消費電力が前記第１光源に比べて小さい第２光源と、
前記第１光源と対向する面からなり、前記第１光源から出射された光が入射する第１光入射面と、前記第２光源と対向する面からなり、前記第２光源から出射された光が入射する第２光入射面と、一方の板面からなり、前記第１光入射面及び前記第２光入射面から入射された光が出射される光出射面と、を有する導光板と、を備える照明装置。
【請求項２】
前記導光板における他方の板面に配され、前記導光板内に入射した光を前記光出射面に向けて反射させることで前記光出射面からの出射を促す光反射部であって、前記他方の板面の面内での単位面積あたりに当該光反射部が存在する面積の分布に関して、前記第１光源及び前記第２光源からそれぞれ遠ざかる方向に向けて大きくなるとともに、最大となる位置が前記第２光源寄りに偏在している光反射部を備える請求項１に記載の照明装置。
【請求項３】
前記第１光源及び前記第２光源に対して電流を供給する電流供給部であって、前記第２光源には前記第１光源に供給する電流よりも低い電流を供給する電流供給部を備える請求項１又は請求項２に記載の照明装置。
【請求項４】
前記第１光源は、前記第１光入射面に沿って等間隔で並ぶ複数の単位光源を備え、
前記第２光源は、前記第２光入射面に沿って等間隔で並ぶ複数の単位光源を備え、
前記第１光源が備える前記単位光源の個数と前記第２光源が備える前記単位光源の個数とは等しいものとされ、
前記第１光源が備える前記複数の単位光源同士の間隔と前記第２光源が備える前記複数の単位光源同士の間隔とは等しいものとされる請求項３に記載の照明装置。
【請求項５】
前記第１光源は、前記第１光入射面に沿って並ぶ複数の単位光源を備え、
前記第２光源は、前記第２光入射面に沿って並ぶ複数の単位光源を備え、
前記第２光源が備える前記単位光源の個数は、前記第１光源が備える前記単位光源の個数よりも少ない請求項１から請求項３のいずれか１項に記載の照明装置。
【請求項６】
請求項１から請求項５のいずれか１項に記載の照明装置と、
前記照明装置から照射される光を利用して画像を表示する表示パネルと、を備える表示装置。
【発明の詳細な説明】
【技術分野】
【０００１】
本発明は、照明装置及び表示装置に関する。
【背景技術】
【０００２】
従来、照明装置として、導光板の上下両側にそれぞれ光源が配されたものが知られている（下記特許文献１）。
【先行技術文献】
【特許文献】
【０００３】
【特許文献１】特開２０１４−９２６９９号公報
【発明の概要】
【発明が解決しようとする課題】
【０００４】
上記特許文献のように、導光板の上下両側にそれぞれ光源が配された構成では、下側に配された光源から発生した熱によって温められた空気が上昇し、その空気によって上側に配された光源が温められる。このため、上側に配された光源が下側に配された光源に比べて高温となる事態が懸念される。光源が高温になることで、光源の発光効率や寿命の低下、及び光源と対向する導光板の融解等が懸念される。
【０００５】
本発明は上記のような事情に基づいて完成されたものであって、導光板の上下両側にそれぞれ光源が配された場合において、上側に配された光源が高温となる事態を抑制することを目的とする。
【課題を解決するための手段】
【０００６】
上記課題を解決するために、本発明の照明装置は、第１光源と、前記第１光源に対して鉛直方向上側に配されると共に消費電力が前記第１光源に比べて小さい第２光源と、前記第１光源と対向する面からなり、前記第１光源から出射された光が入射する第１光入射面と、前記第２光源と対向する面からなり、前記第２光源から出射された光が入射する第２光入射面と、一方の板面からなり、前記第１光入射面及び前記第２光入射面から入射された光が出射される光出射面と、を有する導光板と、を備えることに特徴を有する。上記構成では、第２光源の消費電力が、第１光源の消費電力よりも小さくなっている。これにより、第２光源の発熱量を第１光源の発熱量よりも小さくすることができる。この結果、第１光源で発生した熱によって温められた空気が上側（第２光源側）へ移動した場合において第２光源が高温となる事態を抑制できる。
【発明の効果】
【０００７】
本発明によれば、導光板の上下両側にそれぞれ光源が配された場合において、上側に配された光源が高温となる事態を抑制することができる。
【図面の簡単な説明】
【０００８】
【図１】本発明の実施形態１に係るテレビ受信装置の概略構成を示す分解斜視図
【図２】液晶表示装置の概略構成を示す分解斜視図
【図３】液晶表示装置の断面図（図１のＩＩＩ−ＩＩＩ線で切断した図に対応）
【図４】ＬＥＤ基板に係る電気的構成を表すブロック図
【図５】バックライト装置を示す平面図
【図６】実施形態２に係るバックライト装置を示す平面図
【発明を実施するための形態】
【０００９】
＜実施形態１＞
本発明の実施形態１を図１から図４によって説明する。本実施形態では、表示装置としてテレビ受信装置１０が備える液晶表示装置１１について例示する。なお、各図面の一部にはＸ軸、Ｙ軸及びＺ軸を示しており、各軸方向が各図面で示した方向となるように描かれている。また、図３に示す左側が表側であり、図３に示す右側が裏側である。テレビ受信装置１０は、図１に示すように、液晶表示装置１１と、液晶表示装置１１を挟むようにして収容する表裏両側のキャビネット１２，１３と、電源１４と、チューナー１５と、スタンド１６と、を備える。液晶表示装置１１（表示装置）は、全体として横長の方形（矩形状、長手状）をなし、縦置き状態で収容されている。つまり、液晶表示装置１１は、その短辺方向が鉛直方向に沿う起立姿勢で配されている。なお、本実施形態では、Ｙ軸方向が鉛直方向及び液晶表示装置１１の短辺方向と一致している。
【００１０】
液晶表示装置１１は、図２に示すように、表示パネルである液晶パネル１７と、外部光源であるバックライト装置１８（照明装置）と、を備え、これらが枠状のベゼル１９により一体的に保持されるようになっている。液晶パネル１７は、バックライト装置１８から照射される光を利用して画像を表示することが可能となっている。液晶パネル１７は、図２に示すように、平面視において横長の方形（矩形状）をなしており、透光性に優れた一対のガラス製の基板（アレイ基板及びＣＦ基板）が所定のギャップを隔てた状態で貼り合わせられるとともに、両基板間に液晶が封入された構成とされる。アレイ基板には、互いに直交するソース配線とゲート配線とに接続されたスイッチング素子（例えばＴＦＴ）と、そのスイッチング素子に接続された画素電極、さらには配向膜等が設けられ、ＣＦ基板には、Ｒ（赤色），Ｇ（緑色），Ｂ（青色）等の各着色部が所定配列で配置されたカラーフィルタや対向電極、さらには配向膜等が設けられている。この液晶パネル１７は、画面中央側にあって画像が表示可能な表示領域と、画面外周端側にあって表示領域の周りを取り囲む枠状（額縁状）をなす非表示領域とに区分されている。なお、一対の基板の外面側には、表裏一対の偏光板がそれぞれ貼り付けられている。
【００１１】
バックライト装置１８は、図２に示すように、表側（光出射側、液晶パネル１７側）に向けて開口する光出射部２０を有した略箱型をなすシャーシ２１と、シャーシ２１の光出射部２０を覆うようにして配される光学部材２２と、一対のＬＥＤユニット３０，４０と、一対のＬＥＤユニット３０，４０からの光をそれぞれ導光して光学部材２２（ひいては液晶パネル１７）へと導く導光板５０と、導光板５０及び光学部材２２を表側から押さえるフレーム２６（押さえ部材）と、を備える。ＬＥＤユニット３０，４０は、それぞれＬＥＤ基板３１と、複数のＬＥＤ３２（Light Emitting Diode：発光ダイオード）と、備える。バックライト装置１８は、その長辺側の両端部に、ＬＥＤユニット３０，４０がそれぞれ配されるとともに、一対のＬＥＤユニット３０，４０間に導光板５０が挟まれている、いわゆるエッジライト型（サイドライト型）とされている。以下では、バックライト装置１８の各構成部品について詳しく説明する。
【００１２】
シャーシ２１は、例えばアルミニウム板や電気亜鉛めっき綱板（ＳＥＣＣ）などの金属板からなり、図２に示すように、平面視において液晶パネル１７と同様に横長の方形状をなすとともに、短辺方向がＹ軸方向（鉛直方向）と一致している。シャーシ２１は、横長の方形状をなす底板２３と、底板２３における長辺側及び短辺側の各外端からそれぞれ立ち上がる側板２４とを有している。図３に示すように、４つの側板２４のうち、長辺側に配される一対の側板２４，２４に対してＬＥＤ基板３１，３１がそれぞれ取り付けられている。ＬＥＤユニット４０（第２光源）は，ＬＥＤユニット３０（第１光源）に対して鉛直方向上側に配されている。また、各側板２４には、フレーム２６及びベゼル１９がねじ止めされている。
【００１３】
光学部材２２は、図２に示すように、液晶パネル１７と同様に平面視において横長の方形状をなしている。光学部材２２は、導光板５０の表側（光出射側）に載せられており、導光板５０からの出射光を透過するとともにその透過光に所定の光学作用を付与しつつ液晶パネル１７に向けて出射させる。光学部材２２は、互いに積層される複数枚（本実施形態では３枚）のシート状の部材からなるものとされる。具体的な光学部材２２（光学シート）の種類としては、例えば拡散シート、レンズシート、反射型偏光シートなどがあり、これらの中から適宜に選択して使用することが可能である。なお、図３では、３枚の光学部材２２を１枚に簡略化して図示している。
【００１４】
フレーム２６は、図２に示すように、導光板５０の外周端部に沿って延在する枠状（額縁状）に形成されており、導光板５０の外周端部をほぼ全周にわたって表側から押さえることが可能とされる。このフレーム２６は、例えば合成樹脂製とされるとともに、表面が例えば黒色を呈する形態とされることで、遮光性を有するものとされる。フレーム２６においてＬＥＤユニット３０，４０と対向する面には、図３に示すように、光を反射させる光反射シート２７がそれぞれ配されている。光反射シート２７，２７は、フレーム２６の長辺部分においてほぼ全長にわたって延在する大きさを有している。一方の光反射シート２７は、導光板５０におけるＬＥＤユニット３０側の端部及びＬＥＤユニット３０を表側から覆うものとされる。他方の光反射シート２７は、導光板５０におけるＬＥＤユニット４０側の端部及びＬＥＤユニット４０を表側から覆うものとされる。また、フレーム２６は、液晶パネル１７における外周縁部を裏側から受けることができる。
【００１５】
次に、ＬＥＤユニット３０，４０の構成について説明する。ＬＥＤユニット３０とＬＥＤユニット４０とは同一の部品であり、取付位置及び取付姿勢が相違している。本実施形態では、鉛直方向下側に配されるＬＥＤユニットをＬＥＤユニット３０とし、鉛直方向上側に配されるＬＥＤユニットをＬＥＤユニット４０としている。ＬＥＤユニット３０が備えるＬＥＤ３２の個数とＬＥＤユニット４０が備えるＬＥＤ３２の個数は等しいものとされ、ＬＥＤユニット３０が備える複数のＬＥＤ３２同士の間隔とＬＥＤユニット４０が備える複数のＬＥＤ３２同士の間隔は等しいものとされる。ＬＥＤ３２は、ＬＥＤ基板３１に固着される基板部上にＬＥＤチップを樹脂材により封止した構成とされる。基板部に実装されるＬＥＤチップは、主発光波長が１種類とされ、具体的には、青色を単色発光するものが用いられている。その一方、ＬＥＤチップを封止する樹脂材には、ＬＥＤチップから発せられた青色の光により励起されて所定の色を発光する蛍光体が分散配合されており、全体として概ね白色光を発するものとされる。なお、ＬＥＤ３２の構成は上記したものに限定されない。このＬＥＤ３２は、ＬＥＤ基板３１に対する実装面とは反対側の面が光出射面となる、いわゆる頂面発光型とされている。
【００１６】
ＬＥＤ基板３１は、図２に示すように、シャーシ２１の長辺方向に沿って延在する細長い板状をなすとともに、板面と直交する板厚方向がＹ軸方向と一致した姿勢で配されている。ＬＥＤ基板３１の基材に用いる材料としては、例えば合成樹脂材料（具体的には紙フェノールまたはガラスエポキシ樹脂など）を用いることが可能である。ＬＥＤ３２は、ＬＥＤ基板３１の実装面において、その長さ方向（Ｘ軸方向）に沿って複数個が所定の配置間隔を空けつつ一列に並ぶ形で配されている。ＬＥＤ基板３１の実装面には、図４に示すように複数のＬＥＤ３２を直列に接続する金属膜（銅箔など）からなる配線パターン２８が形成されており、この配線パターン２８の両端部に形成された端子部が外部のＬＥＤ駆動基板２９に接続されることで、駆動電力が各ＬＥＤ３２に供給されるようになっている。なお、ＬＥＤ３２は、例えばＬＥＤ基板３１に対してはんだ３４（図３参照）によって実装されている。
【００１７】
ＬＥＤ駆動基板２９（電流供給部）は、図４に示すように、ＬＥＤユニット３０のＬＥＤ基板３１に電流を供給するＬＥＤ駆動回路３３と、ＬＥＤユニット４０のＬＥＤ基板３１に電流を供給するＬＥＤ駆動回路４３と、を備える。ＬＥＤ駆動回路３３は、ＬＥＤユニット３０のＬＥＤ３２を定電流駆動するための定電流回路を有しており、ＬＥＤ駆動回路４３は、ＬＥＤユニット４０のＬＥＤ３２を定電流駆動するための定電流回路を有している。そして、ＬＥＤ駆動回路４３からＬＥＤユニット４０のＬＥＤ基板３１へ供給される電流は、ＬＥＤ駆動回路３３からＬＥＤユニット３０のＬＥＤ基板３１へ供給される電流よりも低くなっている。このため、ＬＥＤユニット４０の消費電力は、ＬＥＤユニット３０の消費電力に比べて小さいものとされる。なお、ＬＥＤ駆動基板２９は、例えば、シャーシ２１の底板２３の裏面に設けられるが、これに限定されない。
【００１８】
導光板５０は、屈折率が空気よりも十分に高く且つほぼ透明な（透光性に優れた）合成樹脂材料（例えばＰＭＭＡなどのアクリル樹脂やポリカーボネートなど）からなる。導光板５０は、図２に示すように、液晶パネル１７及びシャーシ２１と同様に平面視にて横長の方形状をなしている。導光板５０の長辺方向がＸ軸方向と、短辺方向がＹ軸方向とそれぞれ一致し、板面と直交する板厚方向がＺ軸方向と一致している。導光板５０は、図３に示すように、一対の光入射面５１，５２と、表側の板面（一方の板面）である光出射面５３と、を有している。
【００１９】
光入射面５１は、長辺側の一対の端面のうち、ＬＥＤユニット３０（より詳しくはＬＥＤユニット３０を構成するＬＥＤ３２の光出射面３５）と対向する面からなり、ＬＥＤユニット３０の各ＬＥＤ３２から出射された光が入射する面である。光入射面５１（第１光入射面）は、鉛直方向下方を向く面となっている。ＬＥＤユニット３０が備える複数のＬＥＤ３２（単位光源）は、光入射面５１に沿って等間隔で並ぶものとされる。
【００２０】
光入射面５２は、長辺側の一対の端面のうち、ＬＥＤユニット４０（より詳しくはＬＥＤユニット４０を構成するＬＥＤ３２の光出射面３６）と対向する面からなり、ＬＥＤユニット４０の各ＬＥＤ３２から出射された光が入射する面である。光入射面５２（第２光入射面）は、鉛直方向上方を向く面となっている。ＬＥＤユニット４０が備える複数のＬＥＤ３２（単位光源）は、光入射面５２に沿って等間隔で並ぶものとされる。導光板５０は、一対の光入射面５１，５２から入射された光を内部で伝播させつつ光学部材２２側（表側）へ向くように立ち上げて光出射面５３から出射させる機能を有する。
【００２１】
導光板５０における裏側の板面５４には、図３に示すように、その板面５４から導光板５０外部に出射した光を表側に反射させることが可能な光反射シート５５がそのほぼ全域を覆う形で設けられている。光反射シート５５は、シャーシ２１の底板２３と導光板５０との間に挟まれた形で配されている。光反射シート５５の下端部及び上端部はフレーム２６に取り付けられた光反射シート２７，２７とそれぞれ対向状をなしている。これにより、ＬＥＤユニット３０，４０の各ＬＥＤ３２からの出射光を対向される光反射シート２７，５５間で繰り返し反射して光入射面５１，５２へ効率的に入射させることができる。
【００２２】
また、導光板５０における板面５４（他方の板面）には、導光板５０内に入射した光を光出射面５３に向けて反射させることで光出射面５３からの出射を促す光反射部６０（図５参照）が形成されている。光反射部６０は、複数のドット６１によって構成され、導光板５０の板面５４と光反射シート５５との間に介在されている。光反射部６０は、導光板５０の板面５４に光反射性材料を印刷することで形成されている。光反射部６０には、光反射性材料として例えば酸化チタンなどの金属酸化物を含有する白色を呈するインク（ペースト）が用いられている。この光反射部６０は、導光板５０内に入射した光のうち板面５４に達した光を散乱させつつ光出射面５３側に反射させることが可能とされる。光反射部６０にて散乱反射されて光出射面５３に向かう光には、光出射面５３に対する入射角が臨界角を超えない光（全反射を破る光）が生じ、光を光出射面５３から外部へと出射させることが可能とされる。
【００２３】
上述したようにＬＥＤユニット４０のＬＥＤ基板３１へ供給される電流は、ＬＥＤユニット３０のＬＥＤ基板３１へ供給される電流よりも低くなっており、ＬＥＤユニット４０の消費電力は、ＬＥＤユニット３０の消費電力に比べて小さいものとされる。これにより、ＬＥＤユニット４０の発熱量をＬＥＤユニット３０の発熱量よりも小さくすることができる。この結果、ＬＥＤユニット３０で発生した熱によって温められた空気が上側へ移動した場合においてＬＥＤユニット４０が高温となる事態を抑制できる。しかしながら、相対的に低い電流が供給されるＬＥＤユニット４０の発光量はＬＥＤユニット３０の発光量よりも少なくなる。ＬＥＤユニット４０とＬＥＤユニット３０との発光量に差があると、導光板５０の光出射面５３からの出射光にムラが生じることが懸念される。そこで、本実施形態の光反射部６０は、ＬＥＤユニット４０とＬＥＤユニット３０との発光量の差によって生じる光出射面５３からの出射光のムラを低減することが可能な構成となっている。
【００２４】
光反射部６０は、図５に示すように、上記したインクからなる多数のドット６１を、導光板５０の板面５４内に分散配置することで構成されている。ドット６１は、平面視において略丸形をなすとともに、板面５４の面内において所定の間隔を空けつつＸ軸方向及びＹ軸方向に沿って概ね直線的に並列配置されている。各ドット６１の面積及び配列間隔は、Ｙ軸方向について変化するものとされる。また、各ドット６１の面積及び配列間隔は、Ｘ軸方向については一定とされる。
【００２５】
ドット６１の面積が大きい程、光出射面５３からの光の出射を促すことができる。ドット６１の面積は、ＬＥＤユニット３０，４０から遠い箇所に配されるもの程、大きくなっており、面積が最大となるドット６１（符号６１Ａを付す）は、ＬＥＤユニット３０よりもＬＥＤユニット４０に近い箇所に配されている。このため、板面５４の面内における単位面積あたりの光反射部６０の面積（光反射部６０の面積密度）は、ＬＥＤユニット３０，４０からそれぞれ遠ざかる方向に向けて大きくなるとともに、最大となる位置がＬＥＤユニット４０寄りに偏在している。
【００２６】
次に本実施形態の効果について説明する。本実施形態では、ＬＥＤユニット４０の消費電力が、ＬＥＤユニット３０の消費電力よりも小さくなっている。これにより、ＬＥＤユニット４０の発熱量をＬＥＤユニット３０の発熱量よりも小さくすることができる。この結果、ＬＥＤユニット３０で発生した熱によって温められた空気が上側（ＬＥＤユニット４０側）へ移動した場合においてＬＥＤユニット４０が高温となる事態を抑制できる。これにより、ＬＥＤユニット４０が備えるＬＥＤ３２の発光効率や寿命の低下、ＬＥＤ基板３１の高温による損傷、導光板５０の融解等が生じる事態を抑制することができる。また、ＬＥＤユニット４０が高温になると、はんだ３４の熱膨張に起因してはんだ３４にクラックが生じることが懸念されるが、このような事態も抑制することができる。
【００２７】
また、導光板５０における板面５４に配され、導光板５０内に入射した光を光出射面５３に向けて反射させることで光出射面５３からの出射を促す光反射部６０であって、板面５４の面内での単位面積あたりに光反射部６０が存在する面積の分布に関して、ＬＥＤユニット３０及びＬＥＤユニット４０からそれぞれ遠ざかる方向に向けて大きくなるとともに、最大となる位置がＬＥＤユニット４０寄りに偏在している光反射部６０を備える。
【００２８】
ＬＥＤユニット４０の消費電力がＬＥＤユニット３０の消費電力よりも小さい場合には、ＬＥＤユニット４０の発光量がＬＥＤユニット３０の発光量よりも少なくなり、導光板５０の光出射面５３からの出射光に輝度ムラが発生することが懸念される。そこで、上記構成では、導光板５０内に入射した光を光出射面５３に向けて反射させる光反射部６０を備え、その光反射部６０について、導光板５０の板面５４内での単位面積あたりに光反射部６０が存在する面積の分布に関して、最大となる位置がＬＥＤユニット４０寄りに偏在するものとした。このようにすれば、光出射面５３において、ＬＥＤユニット４０寄りの位置からの光の出射を促すことができる。この結果、ＬＥＤユニット４０の発光量がＬＥＤユニット３０の発光量よりも少ない場合において、光出射面５３におけるＬＥＤユニット４０寄りの位置の輝度がＬＥＤユニット３０寄りの位置の輝度に比べて低くなる事態を抑制できるため、輝度ムラを抑制することができる。
【００２９】
また、ＬＥＤユニット３０及びＬＥＤユニット４０に対して電流を供給するＬＥＤ駆動基板２９であって、ＬＥＤユニット４０にはＬＥＤユニット３０に供給する電流よりも低い電流を供給するＬＥＤ駆動基板２９を備える。低い電流をＬＥＤユニット４０に供給することでＬＥＤユニット４０の消費電力を小さくすることができる。
【００３０】
また、ＬＥＤユニット３０は、光入射面５１に沿って等間隔で並ぶ複数のＬＥＤ３２を備え、ＬＥＤユニット４０は、光入射面５２に沿って等間隔で並ぶ複数のＬＥＤ３２を備え、ＬＥＤユニット３０が備えるＬＥＤ３２の個数とＬＥＤユニット４０が備えるＬＥＤ３２の個数とは等しいものとされ、ＬＥＤユニット３０が備える複数のＬＥＤ３２同士の間隔とＬＥＤユニット４０が備える複数のＬＥＤ３２同士の間隔とは等しいものとされる。このようにすれば、ＬＥＤユニット３０及びＬＥＤユニット４０を同一の部材とすることができ、製造に係るコストを低減することができる。
【００３１】
＜実施形態２＞
次に、本発明の実施形態２を図５によって説明する。上記実施形態と同一部分には、同一符号を付して重複する説明を省略する。本実施形態のバックライト装置２１８では、図６に示すように、上側のＬＥＤユニット２４０が備えるＬＥＤ３２の個数が、下側のＬＥＤユニット３０が備えるＬＥＤ３２の個数よりも少ないものとされる。これにより、ＬＥＤユニット２４０を構成するＬＥＤ３２の個数を減らすことで、ＬＥＤユニット２４０の消費電力をＬＥＤユニット３０の消費電力に比べて小さいものとすることができる。
【００３２】
＜他の実施形態＞
本発明は上記記述及び図面によって説明した実施形態に限定されるものではなく、例えば次のような実施形態も本発明の技術的範囲に含まれる。
（１）上記した実施形態では、表示パネルとして液晶パネルを用いた液晶表示装置を例示したが、他の種類の表示パネルを用いた表示装置にも本発明は適用可能である。
（２）上記実施形態では、光源としてＬＥＤを用いたものを示したが、有機ＥＬなどを用いることも可能である。
（３）上記実施形態では、ＬＥＤユニット３０及びＬＥＤユニット４０が同じ種類のＬＥＤ３２を備える構成を例示したが、これに限定されない。例えば、ＬＥＤユニット４０が備えるＬＥＤと、ＬＥＤユニット３０が備えるＬＥＤとが異なる構成であってもよい。例えば、ＬＥＤユニット３０，４０が備えるＬＥＤの個数は各々同じとし、ＬＥＤユニット４０が備えるＬＥＤのＬＥＤチップ（ＬＥＤ素子）の個数を、ＬＥＤユニット３０が備えるＬＥＤのＬＥＤチップの個数よりも少なくすることで、ＬＥＤユニット４０の消費電力をＬＥＤユニット３０の消費電力よりも小さくしてもよい。
（４）導光板５０の光入射面は、導光板５０の端面以外でもよい。例えば導光板５０において光出射面とは反対側の板面の周端部を光入射面としてもよい。
（５）導光板の光反射部を構成するドットパターンは、図５で例示したものに限定されず適宜変更可能である。
【符号の説明】
【００３３】
１７…液晶パネル（表示パネル）、１８，２１８…バックライト装置（照明装置）、２９…ＬＥＤ駆動基板（電流供給部）、３０…ＬＥＤユニット（第１光源）、３２…ＬＥＤ（単位光源）、４０，２４０…ＬＥＤユニット（第２光源）、５０…導光板、５１…光入射面（第１光入射面）、５２…光入射面（第２光入射面）、５３…光出射面、５４…板面（導光板における他方の板面）、６０…光反射部
【図１】
2019145445.tif 000003
【図２】
2019145445.tif 000004
【図３】
2019145445.tif 000005
【図４】
2019145445.tif 000006
【図５】
2019145445.tif 000007
【図６】
2019145445.tif 000008